(57)【特許請求の範囲】
【請求項１】
それぞれ異なる空間を検出対象とする複数のセンサ部と、それぞれ異なる空間にコンテンツを出力する複数の出力部と、前記複数のセンサ部および前記複数の出力部にネットワークを介して接続され、前記複数のセンサ部および前記複数の出力部を制御する提示情報制御装置と、を備えたコンテンツ提示制御システムにおける提示情報制御方法であって、
第１時間および前記第１時間よりも後の時間である現在時刻を含む第２時間において、前記複数のセンサ部のうち第１センサ部および第２センサ部のそれぞれが検出した、人の行動に関する情報を取得するステップと、
前記複数のセンサ部が取得した人の行動に関する情報、および、前記複数の出力部が出力したコンテンツに関する情報を履歴情報として蓄積するステップと、
前記提示情報制御装置が、前記複数の出力部のうちの前記第１センサ部と同一空間に配置される第１出力部、前記第１センサ部、および、前記第２センサ部を制御するステップとを含み、
前記制御するステップでは、
前記第１センサ部から取得した前記第２時間における人の行動に関する情報によって、前記第１センサ部が配置された空間で前記第２時間に人が行動していると判定する場合、前記第１センサ部および前記第２センサ部の前記第１時間における前記人の行動に関する情報と、前記履歴情報とに基づいて、前記第２時間において前記第１出力部に出力させるコンテンツを決定し、前記第１出力部に前記コンテンツを出力させる第１の制御を行い、
前記コンテンツの決定は、過去の異なる日の前記第１時間と同時間帯における前記人の行動に関する情報と、前記第１時間における前記人の行動に関する情報とが一致又は類似する場合に、前記過去の異なる日に出力されていたコンテンツを選択することにより行われる、
提示情報制御方法。
【請求項２】
前記第１センサ部と、前記第１出力部とは第１の空間に配置され、
前記第２センサ部と、前記複数の出力部のうち前記第２センサ部と同一空間に配置される第２出力部とは、前記第１の空間と異なる第２の空間に配置されている、
請求項１に記載の提示情報制御方法。
【請求項３】
前記人の行動に関する情報は、人の動きの有無に関する情報である、
請求項１〜２のいずれか１項に記載の提示情報制御方法。
【請求項４】
さらに、前記提示情報制御装置が、時刻に関する情報を取得するステップを含み、
前記制御するステップでは、
前記第１の制御のうち、前記第１出力部に出力させるコンテンツを決定する制御を、
前記第１センサ部および前記第２センサ部の前記第１時間における人の行動に関する情報と、前記時刻に関する情報と、に基づいて行う、
請求項１〜３のいずれか１項に記載の提示情報制御方法。
【請求項５】
前記制御するステップでは、前記提示情報制御装置が、
前記第１センサ部から取得した前記第１時間における人の行動に関する情報によって前記第１センサ部が配置された第１の空間で前記第１時間に人が行動していなかったと判定し、前記第１センサ部から取得した前記第２時間における人の行動に関する情報によって前記第１の空間で前記第２時間に人が行動していると判定した場合、かつ、
前記第２センサ部から取得した前記第１時間における人の行動に関する情報によって前記第２センサ部が配置された第２の空間で前記第１時間に人が行動していたと判定し、前記第２センサ部から取得した前記第２時間における人の行動に関する情報によって前記第２の空間で前記第２時間に人が行動していないと判定した場合に、
前記第１の制御として、前記複数の出力部のうち前記第２センサ部と同一空間に配置される第２出力部が前記第１時間に出力していたコンテンツを、前記第２時間において前記第１出力部に出力させるコンテンツと決定して前記第１出力部に出力させる制御を行う、
請求項１〜４のいずれか１項に記載の提示情報制御方法。
【請求項６】
前記コンテンツ提示制御システムには、さらに、ＴＶ受像機が含まれ、
前記制御するステップでは、
前記第１の制御として、前記第１出力部に出力させるコンテンツを、前記ＴＶ受像機へ配信されるＴＶ再生音源情報と決定し、前記第１出力部に前記コンテンツを出力させる、
請求項１〜４のいずれか１項に記載の提示情報制御方法。
【請求項７】
前記コンテンツ提示制御システムには、さらに、前記第２センサ部と同一空間に配置されるＴＶ受像機が含まれ、
前記複数の出力部のうち前記第２センサ部と同一空間に配置される第２出力部は、前記ＴＶ受像機に搭載されたスピーカであり、
前記制御するステップでは、
前記第１時間に前記第２出力部が前記ＴＶ受像機へ配信されるＴＶ再生音源情報を出力していた場合、
前記第１の制御として、前記第２時間において前記複数の出力部のうちの前記第１センサ部と同一空間に配置される第１出力部に出力させるコンテンツを前記第２出力部が出力していた前記ＴＶ再生音源情報と決定し、前記第１出力部に前記ＴＶ再生音源情報を出力させる、
請求項１〜５のいずれか１項に記載の提示情報制御方法。
【請求項８】
前記取得するステップでは、さらに、
前記第１センサ部および前記第２センサ部それぞれが前記第１時間よりも前の時間である第３時間における人の行動に関する情報を取得するステップを含み、
前記制御するステップでは、
前記第１センサ部から取得した前記第１時間における人の行動に関する情報によって前記第１センサ部が配置された第１の空間で前記第１時間に人が行動していなかったと判定し、前記第１センサ部から取得した前記第２時間における人の行動に関する情報によって前記第１の空間で前記第２時間に人が行動していると判定し、前記第１センサ部から取得した前記第３時間における人の行動に関する情報によって前記第１の空間で前記第３時間に人が行動していたと判定し、かつ、
前記第２センサ部から取得した前記第１時間および前記第３時間における人の行動に関する情報によって前記第２センサ部が配置された第２の空間で前記第１時間および前記第３時間に人が行動していなかったと判定し、前記第２センサ部から取得した前記第２時間における人の行動に関する情報によって前記第２の空間で前記第２時間に人が行動していないと判定した場合において、
前記提示情報制御装置が、前記第１の制御として、前記第２時間において前記第１出力部に出力させるコンテンツを、前記取得するステップにおいて取得した前記時刻に関する情報に応じて決定し、前記第１出力部に前記コンテンツを出力させる制御を行う、
請求項４に記載の提示情報制御方法。
【請求項９】
さらに、前記複数のセンサ部が取得した人の行動に関する情報、および、前記複数の出力部が出力したコンテンツに関する情報を履歴情報として蓄積するステップを含み、
前記制御するステップでは、
前記第１センサ部が配置された空間で前記第２時間に人が行動していると判定する場合、前記第１センサ部および前記第２センサ部の前記第１時間における人の行動に関する情報と、蓄積するステップに蓄積された前記履歴情報とに基づいて、前記第２時間において前記第１出力部に出力させるコンテンツを決定し、前記第１出力部に前記コンテンツを出力させる第１の制御を行う、
請求項１または２に記載の提示情報制御方法。
【請求項１０】
前記コンテンツ提示制御システムには、さらに、前記第２センサ部と同一空間に配置される家電機器または照明器具が含まれ、
前記第２センサ部は、前記家電機器または照明器具に搭載されており、
前記第２センサ部は、前記家電機器または照明器具の動作情報に基づいて人の行動に関する情報を検出する、
請求項１〜５のいずれか１項に記載の提示情報制御方法。
【請求項１１】
それぞれ異なる空間を検出対象とする複数のセンサ部と、それぞれ異なる空間にコンテンツを出力する複数の出力部とにネットワークを介して接続され、前記複数のセンサ部および前記複数の出力部を制御する提示情報制御装置であって、
第１時間および前記第１時間よりも後の時間である現在時刻を含む第２時間において、前記複数のセンサ部のうち第１センサ部および第２センサ部のそれぞれが検出した、人の行動に関する情報を取得する取得部と、
前記複数のセンサ部が取得した人の行動に関する情報、および、前記複数の出力部が出力したコンテンツに関する情報を履歴情報として蓄積する蓄積部と、
前記取得部が取得した前記第２時間における人の行動に関する情報に基づいて、前記第１センサ部が配置された空間で前記第２時間に人が行動しているか否かを判定する判定部と、
前記判定部により前記第２時間に前記第１センサ部が配置された空間で人が行動していると判定される場合、前記取得部が取得した前記第１センサ部および前記第２センサ部の前記第１時間および前記第２時間における人の行動に関する情報と、前記履歴情報とに基づいて、前記第２時間において第１出力部に出力させるコンテンツを決定し、前記第１出力部に前記コンテンツを出力させる第１の制御を行うコンテンツ決定部とを備え、
前記コンテンツ決定部は、過去の異なる日の前記第１時間と同時間帯における前記人の行動に関する情報と、前記第１時間における前記人の行動に関する情報とが一致又は類似する場合に、前記過去の異なる日に出力されていたコンテンツを選択することに前記第１出力部に出力させるコンテンツを決定する、
提示情報制御装置。
【請求項１２】
前記提示情報制御装置では、さらに、前記第１出力部および前記第２出力部の出力感度情報を管理しており、
前記制御するステップではさらに、第２の制御として、
前記第２出力部が前記第１時間に出力していた音圧レベルと前記第１出力部の前記出力感度情報と前記第２出力部の前記出力感度情報とに基づいて、前記第２時間において前記第１出力部に出力させる音圧レベルを調整する、
請求項５に記載の提示情報制御方法。
【発明の詳細な説明】
【技術分野】
【０００１】
本発明は、提示情報制御方法および提示情報制御装置に関する。
【背景技術】
【０００２】
宅内で用いられるＡＶ機器がネットワークに接続されるようになってきている。これに伴い、宅内で過ごすユーザの場所や状態に応じて適切なコンテンツを選択し提示するシステムが提案されている（例えば特許文献１および非特許文献１参照）。
【先行技術文献】
【特許文献】
【０００３】
【特許文献１】特開２００９−１９９３８３号公報
【非特許文献】
【０００４】
【非特許文献１】“活動量センシングによるｉＡＤＬスコアの統計的予測”，第１３回計測自動制御学会システムインテグレーション部門講演会論文集，ｐｐ．９１０−９１３
【発明の概要】
【発明が解決しようとする課題】
【０００５】
しかしながら、従来の方法では、例えば特定の部屋から別の特定の部屋に移動（空間移動）した場合において、移動前の部屋（空間）で提示されていたコンテンツは移動先の部屋（空間）で引き続き提示されないなど、空間移動の前後関係を考慮した適切なコンテンツを提示できないという課題がある。
【０００６】
本発明は、上述の事情を鑑みてなされたもので、空間移動の前後関係を考慮した適切なコンテンツを提示することができる提示情報制御方法および提示情報制御装置を提供することを目的とする。
【課題を解決するための手段】
【０００７】
上記目的を達成するために、本発明の一態様に係る提示情報制御方法は、それぞれ異なる空間を検出対象とする複数のセンサ部と、それぞれ異なる空間にコンテンツを出力する複数の出力部と、前記複数のセンサ部および前記複数の出力部にネットワークを介して接続され、前記複数のセンサ部および前記複数の出力部を制御する提示情報制御装置と、を備えたコンテンツ提示制御システムにおける提示情報制御方法であって、第１時間および前記第１時間よりも後の時間である現在時刻を含む第２時間において、前記複数のセンサ部のうち第１センサ部および第２センサ部のそれぞれが検出した、人の行動に関する情報を取得するステップと、前記提示情報制御装置が、前記複数の出力部のうちの前記第１センサ部と同一空間に配置される第１出力部、前記第１センサ部、および、前記第２センサ部を制御するステップとを含み、前記制御するステップでは、前記第１センサ部から取得した前記第２時間における人の行動に関する情報によって、前記第１センサ部が配置された空間で前記第２時間に人が行動していると判定する場合、前記第１センサ部および前記第２センサ部の前記第１時間における前記人の行動に関する情報に基づいて、前記第２時間において前記第１出力部に出力させるコンテンツを決定し、前記第１出力部に前記コンテンツを出力させる第１の制御を行う。
【発明の効果】
【０００８】
本発明によれば、空間移動の前後関係を考慮した適切なコンテンツを提示することができる提示情報制御方法および提示情報制御装置を実現することができる。
【図面の簡単な説明】
【０００９】
【図１】図１は、本開示におけるコンテンツ提示制御システムの構成の一例を示す図である。
【図２】図２は、実施の形態１におけるコンテンツ提示制御システムの構成の一例を示す図である。
【図３Ａ】図３Ａは、実施の形態１における第１センサ部の構成の一例を示す図である。
【図３Ｂ】図３Ｂは、実施の形態１における第１出力部の構成の一例を示す図である。
【図４】図４は、実施の形態１におけるコンテンツ提示装置の一例を示す図である。
【図５】図５は、実施の形態１における提示情報制御装置の構成の一例を示す図である。
【図６】図６は、実施の形態１における第１センサ部および第２センサ部の検出結果の一例を示す図である。
【図７】図７は、実施の形態１における提示情報制御装置のコンテンツ決定条件の一例を示す図である。
【図８Ａ】図８Ａは、第１の空間から第２の空間の移動といった空間移動の前後関係を示すための図である。
【図８Ｂ】図８Ｂは、実施の形態１における第１センサ部および第２センサ部の検出結果の他の例を示す図である。
【図９】図９は、実施の形態１におけるコンテンツ提示制御システムのシーケンスの一例を示す図である。
【図１０】図１０は、図９のＳ１２に示すフィードバック情報分析方法の一例を示すフローチャートである。
【図１１】図１１は、提示情報制御装置１０のフィードバック情報分析方法の他の例を示すフローチャートである。
【図１２】図１２は、実施の形態２における提示情報制御装置の構成の一例を示す図である。
【図１３】図１３は、実施の形態２における提示情報制御装置のコンテンツ決定条件の一例を示す図である。
【図１４】図１４は、実施の形態２におけるフィードバック情報分析方法の一例を示すフローチャートである。
【図１５】図１５は、実施の形態２の実施例１におけるセンサ部の検出結果および出力部の出力結果の一例を表す図である。
【図１６】図１６は、実施の形態２の実施例２におけるセンサ部の検出結果および出力部の出力結果の一例を表す図である。
【図１７】図１７は、実施の形態３におけるコンテンツ提示制御システムの設置形態の一例を示す図である。
【図１８】図１８は、実施の形態３における提示情報制御装置の構成の一例を示す図である。
【図１９】図１９は、実施の形態３におけるコンテンツ提示制御システムの設置形態の他の一例を示す図である。
【図２０】図２０は、実施の形態３における提示情報制御装置の構成の他の一例を示す図である。
【図２１】図２１は、実施の形態４における提示情報制御装置の構成の一例を示す図である。
【図２２】図２２は、実施の形態５におけるコンテンツ提示制御システムの設置形態の一例を示す図である。
【図２３】図２３は、実施の形態５におけるコンテンツ提示制御システムの設置形態の別の一例を示す図である。
【発明を実施するための形態】
【００１０】
（本発明の基礎となった知見）
宅内で用いられるＡＶ機器がネットワークに接続されるようになってきている。それに伴い、宅内で過ごすユーザの場所や状態に応じて適切なコンテンツを選択し提示するシステムが提案されている（例えば特許文献１および非特許文献１参照）。
【００１１】
特許文献１には、ユーザの健康状態に基づいてコンテンツデータベースから音コンテンツを選択および提示し、更に音コンテンツ再生時のユーザの生体情報をフィードバック情報として学習する音響システムが開示されている。例えば、特許文献１の一実施形態には、住宅内の複数の空間にそれぞれオーディオ装置が配置され、空間ごとに異なる音コンテンツを提示する音響システムが開示されている。
【００１２】
しかしながら、特許文献１に開示される音響システムでは、ユーザの生体情報を取得するために、ユーザの体に常時装着された生体センサやトイレ等の住宅設備に設置された生体センサを用いる必要があり、ユーザの心理的負担があった。
【００１３】
一方、非特許文献１では、住宅内の各部屋に設置された非接触式のセンサを用いることで居住者の日常生活行動を推定する方法が提案されている。非特許文献１では、例えば宅内の各部屋に人感センサを設置し、各部屋での反応頻度や同一時間帯内のセンサ反応の場所分布を家事や睡眠と関連する特徴量に変換することで、１日における居住者の日常生活行動を推定することが開示されている。
【００１４】
ここで、特許文献１の音響システムにおいて、生体センサを用いたユーザの状態推定手段の代わりに、非特許文献１に記載された人感センサによる日常生活行動推定手段を用いるとする。これにより、ユーザに心理的負担を与える事なく適切な音コンテンツを選択して提示することができると考えられる。
【００１５】
しかしながら、宅内で過ごすユーザが必要とするコンテンツは、推定される日常の生活行動だけでなく、ユーザの直前までの日常生活行動や今後の予定によって異なり得るため、非特許文献１の手段によって日常の生活行動を推定しても、ユーザに対して適切なコンテンツを提示できない場合がある。
【００１６】
具体的には、非特許文献１に記載された人感センサによる日常生活行動推定手段では、特定の部屋から別の特定の部屋への移動（空間移動）した場合における空間移動の前後関係は推定結果に反映されない。例えばユーザが居間と寝室を兼ねた居室に滞在していることが人感センサによって検知された場合、そのユーザが居室に滞在する以前に居た別の空間に関する情報または別の空間における人感センサの反応頻度などにかかわらず、提示されるコンテンツが一意に決定されてしまうことも生じる。つまり、上記従来の技術では、移動前の部屋（空間）で提示されていたコンテンツは移動先の部屋（空間）で引き続き提示されないなど、空間移動の前後関係を考慮した適切なコンテンツを提示できないという問題がある。
【００１７】
そこで、本発明の一態様に係る提示情報制御方法は、それぞれ異なる空間を検出対象とする複数のセンサ部と、それぞれ異なる空間にコンテンツを出力する複数の出力部と、前記複数のセンサ部および前記複数の出力部にネットワークを介して接続され、前記複数のセンサ部および前記複数の出力部を制御する提示情報制御装置と、を備えたコンテンツ提示制御システムにおける提示情報制御方法であって、第１時間および前記第１時間よりも後の時間である現在時刻を含む第２時間において、前記複数のセンサ部のうち第１センサ部および第２センサ部のそれぞれが検出した、人の行動に関する情報を取得するステップと、前記提示情報制御装置が、前記複数の出力部のうちの前記第１センサ部と同一空間に配置される第１出力部、前記第１センサ部、および、前記第２センサ部を制御するステップとを含み、前記制御するステップでは、前記第１センサ部から取得した前記第２時間における人の行動に関する情報によって、前記第１センサ部が配置された空間で前記第２時間に人が行動していると判定する場合、前記第１センサ部および前記第２センサ部の前記第１時間における前記人の行動に関する情報に基づいて、前記第２時間において前記第１出力部に出力させるコンテンツを決定し、前記第１出力部に前記コンテンツを出力させる第１の制御を行う。
【００１８】
ここで、例えば、前記第１センサ部と、前記第１出力部とは第１の空間に配置され、前記第２センサ部と、前記複数の出力部のうち前記第２センサ部と同一空間に配置される第２出力部とは、前記第１の空間と異なる第２の空間に配置されているとしてもよい。
【００１９】
また、例えば、前記制御するステップでは、前記第１の制御を、前記第２時間において前記第１センサ部が人の行動に関する情報を取得した直後に行うとしてもよい。
【００２０】
ここで、例えば、前記人の行動に関する情報は、人の動きの有無に関する情報であるとしてもよい。
【００２１】
また、例えば、さらに、前記提示情報制御装置が、時刻に関する情報を取得するステップを含み、前記制御するステップでは、前記第１の制御のうち、前記第１出力部に出力させるコンテンツを決定する制御を、前記第１センサ部および前記第２センサ部の前記第１時間における人の行動に関する情報と、前記時刻に関する情報と、に基づいて行うとしてもよい。
【００２２】
また、例えば、前記制御するステップでは、前記提示情報制御装置が、前記第１センサ部から取得した前記第１時間における人の行動に関する情報によって前記第１センサ部が配置された第１の空間で前記第１時間に人が行動していなかったと判定し、前記第１センサ部から取得した前記第２時間における人の行動に関する情報によって前記第１の空間で前記第２時間に人が行動していると判定した場合、かつ、前記第２センサ部から取得した前記第１時間における人の行動に関する情報によって前記第２センサ部が配置された第２の空間で前記第１時間に人が行動していたと判定し、前記第２センサ部から取得した前記第２時間における人の行動に関する情報によって前記第２の空間で前記第２時間に人が行動していないと判定した場合に、前記第１の制御として、前記複数の出力部のうち前記第２センサ部と同一空間に配置される第２出力部が前記第１時間に出力していたコンテンツを、前記第２時間において前記第１出力部に出力させるコンテンツと決定して前記第１出力部に出力させる制御を行うとしてもよい。
【００２３】
また、例えば、前記コンテンツ提示制御システムには、さらに、ＴＶ受像機が含まれ、前記制御するステップでは、前記第１の制御として、前記第１出力部に出力させるコンテンツを、前記ＴＶ受像機へ配信されるＴＶ再生音源情報と決定し、前記第１出力部に前記コンテンツを出力させるとしてもよい。
【００２４】
また、例えば、前記コンテンツ提示制御システムには、さらに、前記第２センサ部と同一空間に配置されるＴＶ受像機が含まれ、前記複数の出力部のうち前記第２センサ部と同一空間に配置される第２出力部は、前記ＴＶ受像機に搭載されたスピーカであり、前記制御するステップでは、前記第１時間に前記第２出力部が前記ＴＶ受像機へ配信されるＴＶ再生音源情報を出力していた場合、前記第１の制御として、前記第２時間において前記複数の出力部のうちの前記第１センサ部と同一空間に配置される第１出力部に出力させるコンテンツを前記第２出力部が出力していた前記ＴＶ再生音源情報と決定し、前記第１出力部に前記ＴＶ再生音源情報を出力させるとしてもよい。
【００２５】
また、例えば、前記取得するステップでは、さらに、前記第１センサ部および前記第２センサ部それぞれが前記第１時間よりも前の時間である第３時間における人の行動に関する情報を取得するステップを含み、前記制御するステップでは、前記第１センサ部から取得した前記第１時間における人の行動に関する情報によって前記第１センサ部が配置された第１の空間で前記第１時間に人が行動していなかったと判定し、前記第１センサ部から取得した前記第２時間における人の行動に関する情報によって前記第１の空間で前記第２時間に人が行動していると判定し、前記第１センサ部から取得した前記第３時間における人の行動に関する情報によって前記第１の空間で前記第３時間に人が行動していたと判定し、かつ、前記第２センサ部から取得した前記第１時間および前記第３時間における人の行動に関する情報によって前記第２センサ部が配置された第２の空間で前記第１時間および前記第３時間に人が行動していなかったと判定し、前記第２センサ部から取得した前記第２時間における人の行動に関する情報によって前記第２の空間で前記第２時間に人が行動していないと判定した場合において、前記提示情報制御装置が、前記第１の制御として、前記第２時間において前記第１出力部に出力させるコンテンツを、前記取得するステップにおいて取得した前記時刻に関する情報に応じて決定し、前記第１出力部に前記コンテンツを出力させる制御を行うとしてもよい。
【００２６】
また、例えば、さらに、前記複数のセンサ部が取得した人の行動に関する情報、および、前記複数の出力部が出力したコンテンツに関する情報を履歴情報として蓄積するステップを含み、前記制御するステップでは、前記第１センサ部が配置された空間で前記第２時間に人が行動していると判定する場合、前記第１センサ部および前記第２センサ部の前記第１時間における人の行動に関する情報と、蓄積するステップに蓄積された前記履歴情報とに基づいて、前記第２時間において前記第１出力部に出力させるコンテンツを決定し、前記第１出力部に前記コンテンツを出力させる第１の制御を行うとしてもよい。
【００２７】
また、例えば、前記コンテンツ提示制御システムには、さらに、前記第２センサ部と同一空間に配置される家電機器または照明器具が含まれ、前記第２センサ部は、前記家電機器または照明器具に搭載されており、前記第２センサ部は、前記家電機器または照明器具の動作情報に基づいて人の行動に関する情報を検出するとしてもよい。
【００２８】
また、例えば、前記提示情報制御装置では、さらに、前記第１出力部および前記第２出力部の出力感度情報を管理しており、前記制御するステップではさらに、第２の制御として、前記第２出力部が前記第１時間に出力していた音圧レベルと前記第１出力部の前記出力感度情報と前記第２出力部の前記出力感度情報とに基づいて、前記第２時間において前記第１出力部に出力させる音圧レベルを調整するとしてもよい。
【００２９】
また、本発明の一態様に係る提示情報制御装置は、それぞれ異なる空間を検出対象とする複数のセンサ部と、それぞれ異なる空間にコンテンツを出力する複数の出力部とにネットワークを介して接続され、前記複数のセンサ部および前記複数の出力部を制御する提示情報制御装置であって、第１時間および前記第１時間よりも後の時間である現在時刻を含む第２時間において、前記複数のセンサ部のうち第１センサ部および第２センサ部のそれぞれが検出した、人の行動に関する情報を取得する取得部と、前記取得部が取得した前記第２時間における人の行動に関する情報に基づいて、前記第１センサ部が配置された空間で前記第２時間に人が行動しているか否かを判定する判定部と、前記判定部により前記第２時間に前記第１センサ部が配置された空間で人が行動していると判定される場合、前記取得部が取得した前記第１センサ部および前記第２センサ部の前記第１時間および前記第２時間における人の行動に関する情報に基づいて、前記第２時間において前記第１出力部に出力させるコンテンツを決定し、前記第１出力部に前記コンテンツを出力させる第１の制御を行うコンテンツ決定部とを備える。
【００３０】
また、本発明の一態様に係るスピーカは、それぞれ異なる空間を検出対象とする複数のセンサ部と、それぞれ異なる空間にコンテンツを出力する複数のスピーカと、前記複数のセンサ部および前記複数のスピーカとネットワークを介して接続され、前記複数のセンサ部および前記複数のスピーカを制御する提示情報制御装置と、を備えたコンテンツ提示制御システムにおける一のスピーカであって、請求項１２の提示情報制御装置が行う前記第１の制御に従って、コンテンツを出力する。
【００３１】
なお、これらの全般的または具体的な態様は、システム、方法、集積回路、コンピュータプログラムまたはコンピュータで読み取り可能なＣＤ−ＲＯＭ等の記録媒体で実現されてもよく、システム、方法、集積回路、コンピュータプログラムまたは記録媒体の任意な組み合わせで実現されてもよい。
【００３２】
以下、本発明の一態様に係る提示情報制御方法等について、図面を参照しながら具体的に説明する。
【００３３】
なお、以下で説明する実施の形態は、いずれも本発明の一具体例を示すものである。以下の実施の形態で示される数値、形状、材料、構成要素、構成要素の配置位置などは、一例であり、本発明を限定する主旨ではない。また、以下の実施の形態における構成要素のうち、最上位概念を示す独立請求項に記載されていない構成要素については、任意の構成要素として説明される。
【００３４】
つまり、以下では、本開示による提示情報制御方法等を実現するための一例である実施の形態を説明するが、各実施の形態はあくまで一例であり、以下の記載に本開示が限定されるものではない。また各実施の形態に記載のいかなる内容も、組み合わせることができるものとする。
【００３５】
（実施の形態１）
以下、図１〜図１０を参照して、実施の形態１における提示情報制御方法等について説明する。
【００３６】
［本開示のコンテンツ提示制御システムの構成］
以下、本開示におけるコンテンツ提示制御システムについて、図面を参照しながら説明する。
【００３７】
図１は、本開示におけるコンテンツ提示制御システム１の構成の一例を示す図である。図１に示すように、コンテンツ提示制御システム１は、提示情報制御装置１０と、複数のセンサ部と、複数の出力部とを備える。
【００３８】
複数のセンサ部は、それぞれ異なる空間を検出対象とする。図１に示す例では、第１の空間２０ａに、第１センサ部２１ａが配置され、第２の空間２０ｂに第２センサ部２１ｂが配置され、・・・第Ｎの空間２０ｎに第Ｎセンサ部２１ｎが配置されている。
【００３９】
複数の出力部は、それぞれ異なる空間にコンテンツを出力する。図１に示す例では、第１の空間２０ａに、第１出力部２２ａが配置され、第２の空間２０ｂに第２出力部２２ｂが配置され、・・・第Ｎの空間２０ｎに第Ｎ出力部２２ｎが配置されている。本開示におけるコンテンツとは、たとえばユーザ自身の購入済み楽曲、インターネットラジオから配信される楽曲、無料配信サイト上の動画、オンデマンドの情報番組、等の音コンテンツ、画像コンテンツまたは映像コンテンツを含む。
【００４０】
提示情報制御装置１０は、複数のセンサ部および複数の出力部にネットワークを介して接続され、複数のセンサ部および複数の出力部を制御する。詳細は後述する。
【００４１】
［コンテンツ提示制御システムの構成］
本実施の形態では、第１の空間２０ａおよび第２の空間２０ｂを有する宅内に構成されるコンテンツ提示制御システムについて説明する。
【００４２】
図２は、実施の形態１におけるコンテンツ提示制御システムの構成の一例を示す図である。図３Ａは実施の形態１における第１センサ部の構成の一例を示す図であり、図３Ｂは実施の形態１における第１出力部の構成の一例を示す図である。図４は、実施の形態１におけるコンテンツ提示装置の一例を示す図である。図５は、実施の形態１における提示情報制御装置の構成の一例を示す図である。図６は、実施の形態１における第１センサ部および第２センサ部の検出結果の一例を示す図である。図７は、実施の形態１における提示情報制御装置のコンテンツ決定条件の一例を示す図である。
【００４３】
図２に示すコンテンツ提示制御システムは、提示情報制御装置１０と、第１センサ部２１ａと、第２センサ部２１ｂと、第１出力部２２ａと、第２出力部２２ｂと備える。
【００４４】
[センサ部および出力部の構成]
第１センサ部２１ａは、第１の空間２０ａに配置され、第１の空間２０ａを検出対象とする。本実施の形態では、第１センサ部２１ａは、例えば図３Ａに示すように、送信部２１２ａおよびセンサ２１１ａを備える。センサ２１１ａは、例えば、人の体温に相当する表面温度を持った熱源の接近に反応する赤外線センサ（人感センサ）やレーザーレンジファインダなどである。センサ２１１ａは、第１の空間２０ａにおける人の行動に関する情報などのフィードバック情報を検出し、送信部２１２ａは、センサ２１１ａの検出結果を提示情報制御装置に送信する。
【００４５】
第２センサ部２１ｂは、第１の空間２０ａと異なる空間である第２の空間２０ｂに配置され、第２の空間２０ｂを検出対象とする。なお、第２センサ部２１ｂの詳細構成は、第１センサ部２１ａと同様であるため、説明を省略する。
【００４６】
第１出力部２２ａは、第１の空間２０ａに配置され、コンテンツを出力する。本実施の形態では、第１出力部２２ａは、例えば図３Ｂに示すように、受信部２２２ａおよびスピーカ２２１ａを備え、音コンテンツを出力する。なお、第１出力部２２ａは、映像または画像のコンテンツを出力する場合には、スピーカ２２１ａに代えてまたは加えて、映像または画像を表示する表示部や投影部を備えるとしてもよい。
【００４７】
第２出力部２２ｂは、第２の空間２０ｂに配置され、コンテンツを出力する。なお、第２出力部２２ｂの詳細構成は、第１出力部２２ａと同様であるため、説明を省略する。
【００４８】
このように、第１センサ部２１ａと、第１出力部２２ａとは、同一空間すなわち第１の空間２０ａに配置され、第２センサ部２１ｂと、第２出力部２２ｂとは、同一空間すなわち第２の空間２０ｂに配置されている。なお、同一空間にあるセンサ部と出力部とは一体の装置で構成されていてもよい。例えば、図４に示すように、第１センサ部２１ａと、第１出力部２２ａを備えるコンテンツ提示装置２３ａで構成されるとしてもよい。図４に示すコンテンツ提示装置２３ａは、卓上に設置されることを想定しているが、天井や壁に取り付けられてもよいし、床に設置されるとしても良い。
【００４９】
[情報制御装置の構成]
図２に示す提示情報制御装置１０は、第１センサ部２１ａと、第２センサ部２１ｂと、第１出力部２２ａと、第２出力部２２ｂにネットワークを介して接続され、これらを制御する。ここで、ネットワークとは、無線または有線通信回線などで構成されるＬＡＮまたはインターネットなどである。
【００５０】
本実施の形態では、提示情報制御装置１０は、例えば図５に示すように、制御部１０１と、フィードバック照合用モデルＤＢ１０３と、コンテンツＤＢ１０４とを備える。
【００５１】
制御部１０１は、フィードバック情報取得部１０５と、判定部１０６、コンテンツ決定部１０７とを有し、第１センサ部２１ａと、第２センサ部２１ｂと、第１出力部２２ａと、第２出力部２２ｂを制御する。
【００５２】
フィードバック情報取得部１０５は、取得部の一例であり、第１時間および当該第１時間よりも後の時間である現在時刻ｔ０を含む第２時間において、複数のセンサ部のうち第１センサ部２１ａおよび第２センサ部２１ｂのそれぞれが検出した、人の行動に関する情報などのフィードバック情報を取得する。第１時間（Ｔ１）は、現在時刻ｔ０の直前の所定の時間長である時間であり、第２時間は、現在時刻ｔ０または現在時刻ｔ０含み現在時刻ｔ０の直後の所定の時間長の時間である。フィードバック情報は、人の行動に関する情報の他、人の存在検知を示す情報、出力中のコンテンツに対する好みや回避を示す情報であってもよく、スイッチやボリューム等の制御情報であってよい。人の行動に関する情報は、例えば、人の動きの有無に関する情報である。本実施の形態では、フィードバック情報を人の行動に関する情報であるとして説明する。
【００５３】
例えば図６に示す場合では、フィードバック情報取得部１０５は、現在時刻ｔ０の直前の所定の時間長である第１時間（Ｔ１）と、現在時刻ｔ０において、第１センサ部２１ａおよび第２センサ部２１ｂのそれぞれが検出した、人の行動に関する情報を取得する。なお、フィードバック情報取得部１０５は、取得したフィードバック情報を、内部のキャッシュ(不図示）などに一定期間に保持している。
【００５４】
判定部１０６は、フィードバック情報取得部１０５が取得した第２時間における人の行動に関する情報に基づいて、第１センサ部２１ａが配置された空間で第２時間に人が行動しているか否かを判定する。
【００５５】
例えば図６に示す場合では、判定部１０６は、現在時刻ｔ０では、第１センサ部２１ａが人の行動に関する情報を検出していることから第１の空間２０ａで現在時刻ｔ０に人が行動していると判定する。判定部１０６は、第１時間（Ｔ１）では、第２センサ部２１ｂが人の行動に関する情報を検出し（図７の領域Ｘ２）、第１センサ部２１ａが人の行動に関する情報を検出していない（図７の領域Ｘ１）ことから、第１時間（Ｔ１）では第２の空間２０ｂで人は行動し、第１の空間２０ａで人は行動していないと判定できる。そして、判定部１０６は、図７に示すコンテンツ決定条件を参照して、第２時間においてコンテンツを出力するのは、第１出力部２２ａであると判定する。
【００５６】
より具体的には、判定部１０６は、第１センサ部２１ａから取得した第１時間（Ｔ１）における人の行動に関する情報によって第１センサ部２１ａが配置された第１の空間２０ａで第１時間（Ｔ１）に人が行動していなかったと判定し、第１センサ部２１ａから取得した第２時間（現在時刻ｔ０）における人の行動に関する情報によって第１の空間２０ａで第２時間に人が行動していると判定する。また、判定部１０６は、第２センサ部２１ｂから取得した第１時間（Ｔ１）における人の行動に関する情報によって第２センサ部２１ｂが配置された第２の空間２０ｂで第１時間（Ｔ１）に人が行動していたと判定し、第２センサ部２１ｂから取得した第２時間における人の行動に関する情報によって第２の空間２０ｂで第２時間に人が行動していないと判定する。
【００５７】
そして、判定部１０６は、第２時間に第１センサ部２１ａが配置された空間で人が行動していると判定する場合、フィードバック情報取得部１０５が取得した第１センサ部２１ａおよび第２センサ部２１ｂの第１時間および第２時間における人の行動に関する情報に基づいて、第２時間においてコンテンツを出力させるのは、第１出力部２２ａであると判定する。
【００５８】
コンテンツ決定部１０７は、判定部１０６により第２時間に第１センサ部２１ａが配置された空間で人が行動していると判定される場合、フィードバック情報取得部１０５が取得した第１センサ部２１ａおよび第２センサ部２１ｂの第１時間および第２時間における人の行動に関する情報に基づいて、第２時間において第１出力部２２ａに出力させるコンテンツを決定し、第１出力部２２ａに当該コンテンツを出力させる第１の制御を行う。コンテンツ決定部１０７は、例えば、第１の制御として、複数の出力部のうち第２センサ部２１ｂと同一空間に配置される第２出力部２２ｂが第１時間に出力していたコンテンツを、第２時間において第１出力部２２ａに出力させるコンテンツと決定して第１出力部２２ａに出力させる制御を行うとしてもよい。なお、コンテンツ決定部１０７は、第１の制御を、第２時間において第１センサ部２１ａが人の行動に関する情報を取得した直後の一定期間に行う。
【００５９】
例えば図６に示す場合では、コンテンツ決定部１０７は、判定部１０６の判定結果に従い、第２時間においてコンテンツを出力させるのは、第１出力部２２ａであることを決定する。コンテンツ決定部１０７は、フィードバック情報取得部１０５が取得した第１センサ部２１ａおよび第２センサ部２１ｂの第１時間（Ｔ１）および第２時間における人の行動に関する情報に基づいて、コンテンツＤＢ１０４にアクセスし、第２時間において第１出力部２２ａに出力させるコンテンツとして例えば第１時間（Ｔ１）に第２出力部２２ｂで出力されていたコンテンツを取得し、第１出力部２２ａに送信する。このようにして、第２時間において第１出力部２２ａに出力させるコンテンツを決定し、コンテンツ決定部１０７は、第１出力部２２ａに当該コンテンツを出力させる第１の制御を行う。
【００６０】
なお、コンテンツ決定部１０７は、判定部１０６の判定結果に従い、現在時刻ｔ０に基づいて第２時間において第１出力部２２ａに出力させるコンテンツを決定してもよい。すなわち、コンテンツ決定部１０７は、時刻に関する情報を取得し、第１出力部２２ａに出力させるコンテンツを決定する制御を、第１センサ部２１ａおよび第２センサ部２１ｂの第１時間における人の行動に関する情報と、例えば現在時刻などの時刻に関する情報と、に基づいて行うとしてもよい。
【００６１】
フィードバック照合用モデルＤＢ１０３は、フィードバック情報の検出頻度のパターンや、図７に示すようなコンテンツ決定条件を示すテーブルなどが蓄積されている。フィードバック照合用モデルＤＢ１０３に蓄積されているフィードバック情報の検出頻度のパターンや図７に示すようなコンテンツ決定条件は、判定部１０６により用いられる。判定部１０６は、フィードバック情報の検出頻度のパターンと第１センサ部２１ａまたは第２センサ部２１ｂが検出したフィードバック情報（人の行動に関する情報）と比較照合し、両者が一致または類似するか否かを判定することで、第１の空間２０ａまたは第２の空間２０ｂで人が行動しているか否かを判定できる。また、判定部１０６は、コンテンツ決定条件を参照することで、第２時間においてコンテンツを出力させるべき出力部を判定することができる。
【００６２】
コンテンツＤＢ１０４は、音コンテンツなどのコンテンツや、第１出力部２２ａまたは第２出力部２２ｂで出力しているコンテンツの所在地等のコンテンツが蓄積されている。
【００６３】
なお、上記では、現在時刻ｔ０において、第１センサ部２１ａが人の行動に関する情報を検出している場合を例に取って説明したが、それに限らない。現在時刻ｔ０において、第２センサ部２１ｂが人の行動に関する情報を検出しているとしてもよい。
【００６４】
ここで、図８Ａは、第１の空間２０ａから第２の空間２０ｂの移動といった空間移動の前後関係を示すための図であり、図８Ｂは実施の形態１における第１センサ部および第２センサ部の検出結果の他の例を示す図である。例えば、図８Ａおよび図８Ｂに示すように、第１時間（Ｔ１）には、第１の空間２０ａに居たユーザが現在時刻ｔ０において第２の空間２０ｂに移動しており、現在時刻ｔ０において第２センサ部２１ｂが人の行動に関する情報を検出しているとしてもよい。この場合、現在時刻ｔ０（第２時間）においてコンテンツを出力するのは第２出力部２２ｂであると決定される。そして、第２時間において第２出力部２２ｂに出力させるコンテンツとして第１時間（Ｔ１）において第１出力部２２ａが出力していた例えば朝の情報番組と決定すればよい。
【００６５】
[コンテンツ提示制御システムの動作]
次に、上記のように構成されたコンテンツ提示制御システムの動作について説明する。
【００６６】
図９は、実施の形態１におけるコンテンツ提示制御システムのシーケンスの一例を示す図である。
【００６７】
まず、コンテンツ提示制御システムは、提示情報制御装置１０に第１センサ部２１ａと第２センサ部２１ｂのフィードバック情報を取得させる（Ｓ１０、Ｓ１１）。
【００６８】
次に、提示情報制御装置１０は、フィードバック情報を分析し（Ｓ１２）、第１出力部２２ａおよび第２出力部２２ｂが出力するコンテンツを決定する。
【００６９】
次に、提示情報制御装置１０は、Ｓ１２において決定した第１出力部２２ａおよび第２出力部２２ｂが出力するコンテンツを、第１出力部２２ａおよび第２出力部２２ｂに送信する（Ｓ１３、Ｓ１４）。
【００７０】
次に、第１出力部２２ａおよび第２出力部２２ｂは、受信したコンテンツを出力する（Ｓ１５、Ｓ１６）。
【００７１】
図１０は、図９のＳ１２に示すフィードバック情報分析方法の一例を示すフローチャートである。ここでは、フィードバック照合用モデルＤＢ１０３に蓄積されている図７に示すようなコンテンツ決定条件を用いずに、第１出力部２２ａおよび第２出力部２２ｂが出力するコンテンツを決定する方法について説明する。図１０では、提示情報制御装置１０がフィードバック情報を分析し、第１出力部２２ａに出力させるコンテンツを決定するまでの処理が示されている。なお、第２出力部２２ｂに出力させるコンテンツを決定するまでの処理は第１出力部２２ａに対するものと同様であるため、ここでは、第１出力部２２ａに対する処理について説明する。
【００７２】
まず、フィードバック情報取得部１０５は、第１センサ部２１ａおよび第２センサ部２１ｂのフィードバック情報を取得し（Ｓ１０１）、フィードバック情報取得部１０５のキャッシュを更新する（Ｓ１０２）。
【００７３】
次に、判定部１０６は、現在時刻ｔ０において、第１センサ部２１ａで、フィードバック情報（人に行動に関する情報）が検出されたかどうかを判定する（Ｓ１０３）。なお、Ｓ１０３において、現在時刻ｔ０に第１センサ部２１ａでフィードバック情報は検出されていないと判定する場合（Ｓ１０３でＮｏ）、コンテンツ決定部１０７は、第１出力部２２ａが出力していたコンテンツの出力レベルを減少させる（または０（ゼロ）とする）決定をする（Ｓ１０４）。
【００７４】
次に、Ｓ１０３において、現在時刻ｔ０に第１センサ部２１ａでフィードバック情報を検出したと判定する場合（Ｓ１０３でＹｅｓ）、判定部１０６は、第１時間（Ｔ１）における第１センサ部２１ａのフィードバック情報の検出頻度が、閾値αより小さいか否かを判定する（Ｓ１０５）。ここで、検出頻度の閾値αは、フィードバック照合用モデルＤＢ１０３に蓄積されており、第１センサ部２１ａのフィードバック情報の検出頻度パターンに該当するかを判定できる指標である。
【００７５】
Ｓ１０５において、小さくないと判定する場合には（Ｓ１０５でＮｏ）、第１時間（Ｔ１）の間に人（ユーザ）が、第２出力部２２ｂのある第２の空間２０ｂから第１出力部２２ａのある第１の空間２０ａに移動した可能性が高いと判定できるから、コンテンツ決定部１０７は、第２出力部２２ｂが直前（現在時刻ｔ０の直前または第１時間（Ｔ１））に出力していたコンテンツを第１出力部２２ａから出力させる決定をする（Ｓ１０６）。
【００７６】
一方、Ｓ１０５において、小さいと判定する場合には（Ｓ１０５でＹｅｓ）、判定部１０６は、第１時間（Ｔ１）における第２センサ部２１ｂのフィードバック情報の検出頻度が、閾値βより小さいか否かを判定する（Ｓ１０７）。ここで、検出頻度の閾値βは、フィードバック照合用モデルＤＢ１０３に蓄積されており、第２センサ部２１ｂのフィードバック情報の検出頻度パターンに該当するかを判定できる指標である。なお、閾値βは閾値α以下である。
【００７７】
Ｓ１０７において、小さくないと判定する場合には（Ｓ１０７でＮｏ）、第１出力部２２ａのある第１の空間２０ａに、第１時間（Ｔ１）から継続して人（ユーザ）が存在する可能性が高いと判定できるから、コンテンツ決定部１０７は、第１出力部２２ａが直前（現在時刻ｔ０の直前または第１時間（Ｔ１））に出力していたコンテンツの出力を継続させる決定をする（Ｓ１０８）。
【００７８】
一方、Ｓ１０７において、小さいと判定する場合には（Ｓ１０７でＹｅｓ）、コンテンツ決定部１０７は、第１出力部２２ａに出力させるコンテンツを、現在時刻ｔ０に基づき選択し（Ｓ１０９）、処理を終了する。ここで、現在時刻ｔ０に基づく選択とは、現在時刻ｔ０に含まれる時間帯のラジオ等の番組であったり、当該時間帯に対して予め定められたユーザ（人）が嗜好するコンテンツであったりする。
【００７９】
［実施の形態１の効果等］
以上のように、本実施の形態によれば、空間移動の前後関係を考慮した適切なコンテンツを提示することができる提示情報制御方法および提示情報制御装置を実現することができる。
【００８０】
例えば、それぞれ異なる空間を検出対象とする複数のセンサ部と、それぞれ異なる空間にコンテンツを出力する複数の出力部と、前記複数のセンサ部および前記複数の出力部にネットワークを介して接続され、前記複数のセンサ部および前記複数の出力部を制御する提示情報制御装置と、を備えたコンテンツ提示制御システムにおける提示情報制御方法では、第１時間（Ｔ１）および前記第１時間よりも後の時間である現在時刻を含む第２時間において、前記複数のセンサ部のうち第１センサ部および第２センサ部のそれぞれが検出した、人の行動に関する情報を取得するステップと、前記提示情報制御装置が、前記複数の出力部のうちの前記第１センサ部と同一空間に配置される第１出力部、前記第１センサ部、および、前記第２センサ部を制御するステップとを含む。前記制御するステップでは、前記第１センサ部から取得した前記第２時間における人の行動に関する情報によって、前記第１センサ部が配置された空間で前記第２時間に人が行動していると判定する場合、前記第１センサ部および前記第２センサ部の前記第１時間における前記人の行動に関する情報に基づいて、前記第２時間において前記第１出力部に出力させるコンテンツを決定し、前記第１出力部に前記コンテンツを出力させる第１の制御を行う。
【００８１】
これにより、空間移動の前後関係を考慮した適切なコンテンツを提示することができる。
【００８２】
ここで、例えば、提示情報制御方法の一態様において、前記制御するステップでは、前記提示情報制御装置が、前記第１センサ部から取得した前記第１時間における人の行動に関する情報によって前記第１センサ部が配置された第１の空間で前記第１時間に人が行動していなかったと判定し、前記第１センサ部から取得した前記第２時間における人の行動に関する情報によって前記第１の空間で前記第２時間に人が行動していると判定した場合、かつ、前記第２センサ部から取得した前記第１時間における人の行動に関する情報によって前記第２センサ部が配置された第２の空間で前記第１時間に人が行動していたと判定し、前記第２センサ部から取得した前記第２時間における人の行動に関する情報によって前記第２の空間で前記第２時間に人が行動していないと判定した場合に、前記第１の制御として、前記複数の出力部のうち前記第２センサ部と同一空間に配置される第２出力部が前記第１時間に出力していたコンテンツを、前記第２時間において前記第１出力部に出力させるコンテンツと決定して前記第１出力部に出力させる制御を行うとしてもよい。
【００８３】
これにより、第１時間（Ｔ１）および第２時間におけるフィードバック情報を用いることにより、空間移動の前後関係によってユーザにとって適切なコンテンツが異なるシーンでも、考慮した適切なコンテンツを提示することができる。
【００８４】
ここで、前の部屋（第２の空間）で再生していたコンテンツのボリュームを次の部屋（第１の空間）にも引き継ぐとしてもよい。具体的には、前記提示情報制御装置では、さらに、前記第１出力部および前記第２出力部の出力感度情報を管理しており、前記制御するステップではさらに、第２の制御として、前記第２出力部が前記第１時間に出力していた音圧レベルと前記第１出力部の前記出力感度情報と前記第２出力部の前記出力感度情報とに基づいて、前記第２時間において前記第１出力部に出力させる音圧レベルを調整するとしてもよい。
【００８５】
前の部屋（第２の空間）で再生していたコンテンツのボリュームを次の部屋（第１の空間）にも引き継ぐと場合、前の部屋（第２の空間）での例えばテレビのスピーカなどの第２出力部と、次の部屋（第１の空間）での例えばオーディオのスピーカなどの第１出力部では、ボリュームの基準が異なる場合がある。そのため、当該提示情報制御装置は、第１出力部および第２出力部の出力感度情報を管理することで、第１出力部で出力していたコンテンツを第２出力部で出力するコンテンツにおいてどのくらいの音量に調整したらユーザにとって違和感なくボリュームを引き継げるかということを調整することができる。これにより、ユーザが異なる空間を移動した前後において、コンテンツの音量の極端な増減による違和感をユーザに与えることを抑制することができる。
【００８６】
また、例えばさらに、前記提示情報制御装置が、時刻に関する情報を取得するステップを含み、前記制御するステップでは、前記第１の制御のうち、前記第１出力部に出力させるコンテンツを決定する制御を、前記第１センサ部および前記第２センサ部の前記第１時間における人の行動に関する情報と、前記時刻に関する情報と、に基づいて行うとしてもよい。
【００８７】
これにより、第１時間（Ｔ１）および第２時間におけるフィードバック情報と現在時刻などの時刻に関する情報とを用いることにより、空間移動の前後関係によってユーザにとって適切なコンテンツが異なるシーンでも、考慮した適切なコンテンツを提示することができる。
【００８８】
（変形例）
本実施の形態では、説明を簡単にするため、例えば図１０では、人の空間移動の対象が第１の空間２０ａおよび第２の空間２０ｂである場合について説明したが、これに限らない。人の空間移動の対象が３以上の空間でもよい。
【００８９】
図１１は、提示情報制御装置１０のフィードバック情報分析方法の他の例を示すフローチャートである。図１０と同様の要素には同一の符号を付しており、詳細な説明は省略する。
【００９０】
まず、フィードバック情報取得部１０５は、複数のセンサ部２１のフィードバック情報を取得し（Ｓ１０１ａ）、フィードバック情報取得部１０５のキャッシュを更新する（Ｓ１０２）。Ｓ１０３〜Ｓ１０５および、Ｓ１０９については上記の通りであるので説明を省略し、Ｓ１０７ａおよびＳ１０８ａについて説明する。
【００９１】
Ｓ１０７ａにおいて、判定部１０６は、第１時間（Ｔ１）における第１センサ部２１ａを除く他のセンサ部２１のフィードバック情報の検出頻度が、閾値βより小さいか否かを判定する（Ｓ１０７ａ）。
【００９２】
Ｓ１０７ａにおいて、すべての他のセンサ部のフィードバック情報の検出頻度が閾値βより小さくない、つまり、閾値βより大きい検出頻度の他のセンサ部２１があると判定する場合には（Ｓ１０７ａでＮｏ）、コンテンツ決定部１０７は、閾値βより大きい検出頻度の他のセンサ部２１のうち、最も大きい検出頻度のセンサ部２１のある空間にある出力部２２が直前（現在時刻ｔ０の直前または第１時間（Ｔ１））に出力していたコンテンツを第１出力部２２ａに出力させるコンテンツとして決定をする（Ｓ１０８ａ）。第１時間（Ｔ１）の間に人（ユーザ）が、閾値βより大きい検出頻度の他のセンサ部２１のうち、最も大きい検出頻度のセンサ部２１のある空間から、第１出力部２２ａのある第１の空間２０ａに移動した可能性が高いと判定できるからである。
【００９３】
（実施の形態２）
実施の形態１では、空間移動の前後関係を考慮するために、現在時刻を含む第２時間と現在時刻の直前の所定の時間である第１時間（Ｔ１）とにおけるフィードバック情報を用いることで適切なコンテンツを決定して提示する場合について説明したが、これに限らない。本実施の形態では、第１時間（Ｔ１）および第２時間におけるフィードバック情報に加えて、第１時間（Ｔ１）よりも前の時間である第３時間（Ｔ３）におけるフィードバック情報を用いることで適切なコンテンツを決定して提示する場合について説明する。以下では、実施の形態１と異なる部分を中心に説明する。
【００９４】
[情報制御装置の構成]
図１２は、実施の形態２における提示情報制御装置の構成の一例を示す図である。図５と同様の要素には同一の符号を付しており、詳細な説明は省略する。図１３は、実施の形態２における提示情報制御装置のコンテンツ決定条件の一例を示す図である。
【００９５】
図１２に示す提示情報制御装置１０は、実施の形態１に係る図５に示す提示情報制御装置１０に対して、制御部２０１の構成すなわちフィードバック情報取得部２０５と判定部２０６とコンテンツ決定部２０７との構成が異なる。
【００９６】
フィードバック情報取得部２０５は、取得部の一例であり、フィードバック情報取得部１０５の機能を有する。さらに、フィードバック情報取得部２０５は、第１センサ部２１ａおよび第２センサ部２１ｂそれぞれから第１時間（Ｔ１）よりも前の時間である第３時間（Ｔ３）おける人の行動に関する情報を取得する。
【００９７】
判定部２０６は、フィードバック情報取得部２０５が取得した第２時間における人の行動に関する情報に基づいて、第１センサ部２１ａが配置された空間で第２時間に人が行動しているか否かを判定する。また、判定部２０６は、第２時間に第１センサ部２１ａが配置された空間で人が行動していると判定する場合、フィードバック情報取得部２０５が取得した第１センサ部２１ａおよび第２センサ部２１ｂの第１時間、第２時間よび第３時間における人の行動に関する情報に基づいて、第２時間においてコンテンツを出力させる出力部を判定する。
【００９８】
判定部２０６は、第２時間に第１センサ部２１ａが配置された空間で人が行動していると判定される場合、第２時間においてコンテンツを出力するのは、第１出力部２２ａであると判定する。
【００９９】
ここで、例えば、判定部２０６は、第１センサ部２１ａから取得した第１時間（Ｔ１）における人の行動に関する情報によって第１センサ部２１ａが配置された第１の空間２０ａで第１時間（Ｔ１）に人が行動していなかったと判定し、第１センサ部２１ａから取得した第２時間における人の行動に関する情報によって第１の空間２０ａで第２時間に人が行動していると判定し、第１センサ部２１ａから取得した第３時間（Ｔ３）における人の行動に関する情報によって第１の空間で第３時間（Ｔ３）に人が行動していたと判定する。さらに、判定部２０６は、第２センサ部２１ｂから取得した第１時間（Ｔ１）および第３時間（Ｔ３）における人の行動に関する情報によって第２センサ部２１ｂが配置された第２の空間２０ｂで第１時間（Ｔ１）および第３時間（Ｔ３）に人が行動していなかったと判定し、第２センサ部２１ｂから取得した第２時間における人の行動に関する情報によって第２の空間２０ｂで第２時間に人が行動していないと判定したとする。この場合、判定部２０６は、上記の判定結果をコンテンツ決定部２０７に送信する。なお、判定部２０６は、第２時間においてコンテンツを出力させるのは、第１出力部２２ａであると判定するが、この判定はコンテンツ決定部２０７が行うとしてもよい。
【０１００】
コンテンツ決定部２０７は、時刻に関する情報を取得する。また、コンテンツ決定部２０７は、判定部２０６により第２時間に第１センサ部２１ａが配置された空間で人が行動していると判定される場合、フィードバック情報取得部２０５が取得した第１センサ部２１ａおよび第２センサ部２１ｂの第１時間（Ｔ１）、第２時間および第３時間（Ｔ３）における人の行動に関する情報に基づいて、第２時間において第１出力部２２ａに出力させるコンテンツを決定し、第１出力部２２ａに当該コンテンツを出力させる第１の制御を行う。
【０１０１】
本実施の形態では、コンテンツ決定部２０７は、図１３に示すコンテンツ決定条件を参照して、第２時間において第１出力部２２ａに出力させるコンテンツを決定し、第１出力部２２ａに当該コンテンツを出力させる第１の制御を行う。
【０１０２】
ここで、コンテンツ決定部２０７は、判定部２０６により第２時間に第１センサ部２１ａが配置された空間で人が行動していると判定される場合、第１の制御として、第２時間において第１出力部２２ａに出力させるコンテンツを、例えば現在時刻ｔ０に関する情報に応じて決定し、第１出力部２２ａに当該コンテンツを出力させる制御を行うとしてもよい。
【０１０３】
[情報制御装置の動作]
次に、以上のように構成された本実施の形態における情報制御装置の動作について、説明する。ここでは、フィードバック照合用モデルＤＢ１０３に蓄積されている図１３に示すようなコンテンツ決定条件を用いずに、第１出力部２２ａおよび第２出力部２２ｂが出力するコンテンツを決定する方法について図１４を用いて説明する。
【０１０４】
図１４は、実施の形態２におけるフィードバック情報分析方法の一例を示すフローチャートである。なお、Ｓ２０１〜Ｓ２０８の処理については、Ｓ１０１〜Ｓ１０８で説明した通りであるので、ここでの説明を省略する。
【０１０５】
Ｓ２０７において、第２センサ部２１ｂのフィードバック情報の検出頻度が閾値βより小さいと判定する場合には（Ｓ２０７でＹｅｓ）、コンテンツ決定部２０７は、第１出力部２２ａに出力させるコンテンツを、現在時刻ｔ０に基づき、現在時刻ｔ０の時間帯に取得できるコンテンツ選択肢を取得する（Ｓ２０９）。
【０１０６】
次に、コンテンツ決定部２０７は、判定部２０６が第１出力部２２ａおよび第２出力部２２ｂの第３時間（Ｔ３）の時間長が、閾値時間τより短いと判定したかを確認する（Ｓ２１０）。
【０１０７】
次に、コンテンツ決定部２０７は、Ｓ２１０での確認結果に応じて、コンテンツ選択肢のうちコンテンツＡまたはコンテンツＢを選択する（Ｓ２１１、Ｓ２１２）。なお、第１出力部２２ａおよび第２出力部２２ｂの第３時間（Ｔ３）の時間長が、閾値時間τより長いときには、第１時間（Ｔ１）および第３時間（Ｔ３）においてユーザ（人）は不在であり、現在時刻ｔ０人が帰宅等して第１の空間２０ａに存在していると推定できるからである。一方、第１出力部２２ａまたは第２出力部２２ｂの第３時間（Ｔ３）の時間長が、閾値時間τより短いときには、閾値時間τより短い第３時間（Ｔ３）の出力部が設置された空間において、ユーザ（人）が睡眠などでフィードバック情報として検出できない行動をしていたと推定できる。
【０１０８】
以下、本実施の形態における情報制御装置の動作の実施例について、ユーザ(人）の生活シーンの一場面を例に挙げて説明する。ここではユーザは単身生活者であり、本実施の形態のコンテンツ提示制御システムは、図２に示す宅内や単身向け集合住宅内に設置されるとして説明するが、それに限らない。ユーザの同居人数や居住空間の形態にかかわらず適用される。
【０１０９】
（実施例１）
本実施例において、第１の空間２０ａは洗面所であり、第２の空間２０ｂは寝室兼居間であり、現在時刻ｔ０の時間帯は朝であり、ユーザの出勤時間帯であるとする。ユーザは現在時刻ｔ０の直前まで第２の空間２０ｂに滞在しており、現在時刻ｔ０に第１の空間２０ａに身支度のために移動した場合のセンサ部の検出結果および出力部の出力結果を図１５に示す。
【０１１０】
図１５は、実施の形態２の実施例１におけるセンサ部の検出結果および出力部の出力結果の一例を表す図である。なお、図１５に示す例は、図１４のＳ２０８の処理を行うことに相当する。
【０１１１】
本実施例では、第１時間（Ｔ１）の間に第１センサ部２１ａではフィードバック情報が検出されず、第２センサ部２１ｂではフィードバック情報が検出されていることから、第１出力部２２ａからは、第２出力部２２ｂで直前に出力されていたコンテンツ（図では朝の情報番組）が出力される。この結果、ユーザは自身で操作をすることなく、第２の空間２０ｂで聴取していたコンテンツを移動先の第１の空間２０ａでも聞き続けることができる。
【０１１２】
（実施例２）
本実施例において、第１の空間２０ａは寝室兼居間であり、第２の空間２０ｂは洗面所であり、現在時刻ｔ０の時間帯は朝であるとする。
【０１１３】
図１６は、実施の形態２の実施例２におけるセンサ部の検出結果および出力部の出力結果の一例を表す図である。図１６は、図１５とは異なる生活シーンの場面を示しており、例えばユーザは第１時間（Ｔ１）では第１の空間２０ａで就寝しており、現在時刻ｔ０に目を覚まして行動を開始した場合の例が示されている。なお、図１６に示す例は、図１４のＳ２１２の処理を行うことに相当する。
【０１１４】
本実施例では、第１時間（Ｔ１）の間に第１センサ部２１ａ、第２センサ部２１ｂのいずれにおいてもフィードバック情報が検出されず、かつ、第１時間（Ｔ１）よりも前の時間の第３時間（Ｔ３）であって第１センサ部２１ａと第２センサ部２１ｂのいずれも無検出だった第３時間（Ｔ３）が閾値τ（たとえば５時間）以上である。そのため、第１出力部２２ａからは現在時刻ｔ０の時間帯に対応したコンテンツＢ（たとえば「目覚めの音楽」とカテゴライズされた楽曲群）が出力される。
【０１１５】
図１５および図１６に示す例では、現在時刻ｔ０の時間帯は同一である。例えば、従来技術では、第１センサ部２１ａと第２センサ部２１ｂの第１時間（Ｔ１）におけるフィードバック情報を用いないので、規定のコンテンツのみが第１の空間２０ａで出力されることになる。そのため、日によって変わるユーザの起床時刻や身支度の進捗に合わせたコンテンツ選択をすることができない。これに対して、本実施の形態の提示情報制御方法および提示情報制御装置によれば、ユーザの空間移動の前後関係を考慮してコンテンツの選択をすることができる。
【０１１６】
［実施の形態２の効果等］
以上のように、本実施の形態によれば、第１時間（Ｔ１）、第２時間および第３時間（Ｔ３）におけるフィードバック情報を用いることにより、空間移動の前後関係を考慮した適切なコンテンツを提示することができる提示情報制御方法および提示情報制御装置を実現することができる。
【０１１７】
例えば、提示情報制御方法の一態様において、前記取得するステップでは、さらに、前記第１センサ部および前記第２センサ部それぞれが前記第１時間よりも前の時間である第３時間（Ｔ２）における人の行動に関する情報を取得するステップを含み、前記制御するステップでは、前記第１センサ部から取得した前記第１時間における人の行動に関する情報によって前記第１センサ部が配置された第１の空間で前記第１時間に人が行動していなかったと判定し、前記第１センサ部から取得した前記第２時間における人の行動に関する情報によって前記第１の空間で前記第２時間に人が行動していると判定し、前記第１センサ部から取得した前記第３時間における人の行動に関する情報によって前記第１の空間で前記第３時間に人が行動していたと判定し、かつ、前記第２センサ部から取得した前記第１時間および前記第３時間における人の行動に関する情報によって前記第２センサ部が配置された第２の空間で前記第１時間および前記第３時間に人が行動していなかったと判定し、前記第２センサ部から取得した前記第２時間における人の行動に関する情報によって前記第２の空間で前記第２時間に人が行動していないと判定した場合において、前記提示情報制御装置が、前記第１の制御として、前記第２時間において前記第１出力部に出力させるコンテンツを、前記取得するステップにおいて取得した前記時刻に関する情報に応じて決定し、前記第１出力部に前記コンテンツを出力させる制御を行う。
【０１１８】
これにより、第１時間（Ｔ１）、第２時間および第３時間（Ｔ３）におけるフィードバック情報を用いることにより、空間移動の前後関係によってユーザにとって適切なコンテンツが異なるシーンでも、考慮した適切なコンテンツを提示することができる。
【０１１９】
（実施の形態３）
上記の実施の形態では、提示情報制御装置１０は、フィードバック照合用モデルＤＢ１０３と、コンテンツＤＢ１０４とを備えるとしたが、それに限らない。フィードバック照合用モデルＤＢ１０３および／またはコンテンツＤＢ１０４は外部（宅外等）に設置されており、提示情報制御装置１０は、インターネット等の外部ネットワークを介してアクセスすることで、上述した機能を実現するとしてもよい。
【０１２０】
図１７は、実施の形態３におけるコンテンツ提示制御システムの設置形態の一例を示す図である。図１８は、実施の形態３における提示情報制御装置の構成の一例を示す図である。なお、図２および図５と同様の要素には同一の符号を付しており、詳細な説明は省略する。
【０１２１】
図１８に示す提示情報制御装置１０Ａは、図５に示す提示情報制御装置１０に対して、フィードバック照合用モデルＤＢ１０３Ａと、コンテンツＤＢ１０４Ａとを備えていない点で構成が異なる。フィードバック照合用モデルＤＢ１０３とコンテンツＤＢ１０４とは、インターネット等の宅外のネットワーク３０を介して提示情報制御装置１０Ａに接続される。また、第１センサ部２１ａと第１出力部２２ａとは、実施の形態１および２と同様に、第１の空間２０ａに配置され、第２センサ部２１ｂと第２出力部２２ｂとは、第２の空間２０ｂに配置される。
【０１２２】
図１９は、実施の形態３におけるコンテンツ提示制御システムの設置形態の他の一例を示す図である。図２０は、実施の形態３における提示情報制御装置の構成の他の一例を示す図である。なお、図２および図５と同様の要素には同一の符号を付しており、詳細な説明は省略する。
【０１２３】
図２０に示す提示情報制御装置１０Ｂは、図５に示す提示情報制御装置１０に対して、コンテンツＤＢ１０４Ａを備えていない点で構成が異なる。コンテンツＤＢ１０４は、インターネット等の宅外のネットワーク３０を介して提示情報制御装置１０Ｂに接続される。また、第１センサ部２１ａと第１出力部２２ａとは、実施の形態１および２と同様に、第１の空間２０ａに配置され、第２センサ部２１ｂと第２出力部２２ｂとは、第２の空間２０ｂに配置されている。
【０１２４】
なお、図１７〜図２０に示す例はあくまで一例であり、図５に示す提示情報制御装置１０の各構成を自装置に含むか、ネットワークを介して接続できる宅外に設置する等に関しては適宜変更してもよい。
【０１２５】
（実施の形態４）
提示情報制御装置１０を構成する要素は、上記実施の形態で説明した例に限らない。以下では、図２１を参照して、実施の形態４における提示情報制御装置の構成について説明する。
【０１２６】
[情報制御装置の構成]
図２１は、実施の形態４における提示情報制御装置の構成の一例を示す図である。なお、図５と同様の要素には同一の符号を付しており、詳細な説明は省略する。
【０１２７】
図２１に示す提示情報制御装置１０Ｃは、図５に示す提示情報制御装置１０に対して、制御部１０１Ｃの構成が異なり、図５に示す制御部１０１の構成に加えて、履歴参照部２０８を更に備え、コンテンツ決定部１０７Ｃの機能が異なる。
【０１２８】
履歴参照部２０８は、複数のセンサ部が取得した人の行動に関する情報、および、複数の出力部が出力したコンテンツに関する情報を履歴情報として蓄積する。本実施の形態では、履歴参照部２０８は、フィードバック情報取得部１０５が取得したフィードバック情報を履歴情報として蓄積している。履歴参照部２０８は、コンテンツ決定部１０７Ｃがコンテンツを決定する際に参照される。なお、履歴参照部２０８に蓄積されているフィードバック情報に基づいて、フィードバック照合モデルＤＢ１０３に蓄積されている閾値α、β、閾値時間τ、第１時間（Ｔ１）、第３時間（Ｔ３）の時間長、およびコンテンツＤＢ１０４に蓄積されているコンテンツの候補を更新されるとしてもよい。
【０１２９】
コンテンツ決定部１０７Ｃは、例えば、第１センサ部２１ａが配置された空間で第２時間に人が行動していると判定部１０６により判定される場合、第１センサ部２１ａおよび第２センサ部２１ｂの第１時間（Ｔ１）における人の行動に関する情報と、履歴参照部２０８に蓄積された履歴情報とに基づいて、第２時間において第１出力部２２ａに出力させるコンテンツを決定し、第１出力部２２ａに当該コンテンツを出力させる第１の制御を行う。
【０１３０】
本実施の形態では、コンテンツ決定部１０７Ｃは、コンテンツ決定部１０７の機能を有する。また、コンテンツ決定部１０７Ｃは、履歴参照部２０８を参照し、判定部２０６の判定結果に基づき、コンテンツを決定する。コンテンツ決定部１０７Ｃは、履歴参照部２０８を参照し、過去の異なる日における同時間帯のフィードバック情報および出力コンテンツを参照する。
【０１３１】
例えば、コンテンツ決定部１０７Ｃは、判定部２０６の判定結果と、過去の異なる日における同時間帯のフィードバック情報および出力コンテンツとを比較して、過去の異なる日でフィードバック情報が一致又は類似する場合に、過去の異なる日に繰り返し選択されているコンテンツを決定するとしてもよいし、過去の異なる日の同じ曜日で選択されているコンテンツを決定するとしてもよい。
【０１３２】
なお、その他の構成および動作については実施の形態１と同様であるため説明を省略する。
【０１３３】
［実施の形態４の効果等］
以上のように、本実施の形態によれば、第１時間（Ｔ１）、第２時間および第３時間（Ｔ３）におけるフィードバック情報を用いることにより、空間移動の前後関係を考慮した適切なコンテンツを提示することができる提示情報制御方法および提示情報制御装置を実現することができる。
【０１３４】
また、本実施の形態によれば、過去のフィードバック情報および出力コンテンツを考慮したユーザにとってより適切なコンテンツを提示することができる。
【０１３５】
（実施の形態５）
実施の形態１では、同一空間に配置されるセンサ部および出力部が共に設置されるコンテンツ提示装置の例について説明したが、センサ部および出力部の態様はこれに限らない。以下では、図２２および図２３を用いて、実施の形態５における第２センサ部および第２出力部の一実装態様について説明する。
【０１３６】
図２２は、実施の形態５におけるコンテンツ提示制御システムの設置形態の一例を示す図である。なお、図２と同様の要素には同一の符号を付しており、詳細な説明は省略する。
【０１３７】
図２２に示すコンテンツ提示制御システムは、さらに第２の空間２０ｂに配置される家電機器と照明器具とを含み、図２に示すコンテンツ提示制御システムに対して、第２センサ部および第２出力部がそれぞれ照明器具および家電機器に含まれている点で異なる。
【０１３８】
つまり、第２センサ部が天井照明である照明器具２１０ｂに、第２出力部がＴＶ受像機などの映像音響装置である家電機器２２０ｂにそれぞれ含まれ、いずれも第２の空間２０ｂに設置されている。
【０１３９】
具体的には、第２センサ部は、照明器具２１０ｂに搭載されており、第２センサ部は、照明器具２１０ｂの動作情報に基づいて人の行動に関する情報などのフィードバック情報を検出する。なお、第２センサ部は、家電機器２２０ｂに搭載されており、第２センサ部は、家電機器２２０ｂの動作情報に基づいて人の行動に関する情報などのフィードバック情報を検出するとしてもよい。これにより、第２センサ部を別途用意することなく第２の空間２０ｂにある照明機器２１０や家電機器２２０ｂをコンテンツ提示制御システムの一部として用いることができる。ここで、フィードバック情報としては、照明機器２１０のＯＮ／ＯＦＦ、家電機器２２０ｂのチャンネル選択情報等を用いることができる。
【０１４０】
第２出力部は、家電機器２２０ｂに搭載されたスピーカや表示画面である。
【０１４１】
例えば、提示情報制御装置１０は、第１時間（Ｔ１）において第２出力部の搭載されたＴＶ受像機が配信されたＴＶ再生音源情報を出力していた場合、第１の制御として、第２の時間において第１出力部２２ａに出力させるコンテンツを第２出力部の搭載されたＴＶ受像機が出力していたＴＶ再生音源情報と決定し、第１出力部２２ａに当該ＴＶ再生音源情報を出力させる。
【０１４２】
なお、その他の構成および動作については実施の形態１と同様であるため説明を省略する。
【０１４３】
図２３は、実施の形態５におけるコンテンツ提示制御システムの設置形態の別の一例を示す図である。なお、図２と同様の要素には同一の符号を付しており、詳細な説明は省略する。
【０１４４】
図２３に示すコンテンツ提示制御システムは、図２に示すコンテンツ提示制御システムに対して、自律移動型の宅内エージェント３１０ｂを含み、第２センサ部および第２出力部が自律移動型の宅内エージェント３１０ｂに含まれている点で異なる。
【０１４５】
第２センサ部および第２出力部が含まれる自律移動型の宅内エージェント３１０ｂは、第２の空間２０ｂに配置され、第２の空間２０ｂ内でのみ移動する。
【０１４６】
この構成により、第２センサ部および第２出力部を別途用意することなく第２の空間２０ｂで稼動する宅内エージェント３１０ｂをコンテンツ提示制御システムの一部として用いることができる。ここで、フィードバック情報としては、ユーザと宅内エージェントと音声あるいはジェスチャによるやりとりの結果を用いることができる。
【０１４７】
以上のように、本実施の形態によれば、第１時間（Ｔ１）および第２時間におけるフィードバック情報を用いることにより、空間移動の前後関係を考慮した適切なコンテンツを提示することができる提示情報制御方法および提示情報制御装置を実現することができる。
【０１４８】
具体的には、本実施の形態では、前記コンテンツ提示制御システムには、さらに、前記第２センサ部と同一空間に配置されるＴＶ受像機が含まれ、前記複数の出力部のうち前記第２センサ部と同一空間に配置される第２出力部は、前記ＴＶ受像機に搭載されたスピーカであり、前記制御するステップでは、前記第１時間に前記第２出力部が前記ＴＶ受像機へ配信されるＴＶ再生音源情報を出力していた場合、前記第１の制御として、前記第２時間において前記第１出力部に出力させるコンテンツを前記第２出力部が出力していた前記ＴＶ再生音源情報と決定し、前記第１出力部に前記ＴＶ再生音源情報を出力させるとしてもよい。また、前記コンテンツ提示制御システムには、さらに、前記第２センサ部と同一空間に配置される家電機器または照明器具が含まれ、前記第２センサ部は、前記家電機器または照明器具に搭載されており、前記第２センサ部は、前記家電機器または照明器具の動作情報に基づいて人の行動に関する情報を検出するとしてもよい。
【０１４９】
なお、コンテンツ提示制御システムには、さらに、第２出力部と別にＴＶ受像機が含まれ、前記制御するステップでは、前記第１の制御として、前記第１出力部に出力させるコンテンツの内容を、前記ＴＶ受像機へ配信されるＴＶ再生音源情報と決定し、前記第１出力部に前記コンテンツを出力させるとしてもよい。
【０１５０】
以上、本発明の一つまたは複数の態様に係る提示情報制御方法等について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１５１】
例えば、それぞれ異なる空間を検出対象とする複数のセンサ部と、それぞれ異なる空間にコンテンツを出力する複数のスピーカと、前記複数のセンサ部および前記複数のスピーカとネットワークを介して接続され、前記複数のセンサ部および前記複数のスピーカを制御する提示情報制御装置と、を備えたコンテンツ提示制御システムにおける一のスピーカであって、上述した提示情報制御装置が行う前記第１の制御に従って、コンテンツを出力するスピーカも、本発明の一つまたは複数の態様の範囲内に含まれる。
【産業上の利用可能性】
【０１５２】
本発明に係るコンテンツ報提示制御システムは、家庭向けコンテンツ再生システム、ナビゲーションシステム、施設向け放送システム等に利用可能である。
【符号の説明】
【０１５３】
１  コンテンツ提示制御システム
１０、１０Ａ、１０Ｂ、１０Ｃ  提示情報制御装置
２０ａ  第１の空間
２０ｂ  第２の空間
２０ｎ  第Ｎの空間
２１ａ  第１センサ部
２１ｂ  第２センサ部
２１ｎ  第Ｎセンサ部
２２ａ  第１出力部
２２ｂ  第２出力部
２２ｎ  第Ｎ出力部
２３ａ  コンテンツ提示装置
３０  ネットワーク
１０１、１０１Ｃ、２０１  制御部
１０３、１０３Ａ  フィードバック照合用モデルＤＢ
１０４、１０４Ａ  コンテンツＤＢ
１０５、２０５  フィードバック情報取得部
１０６、２０６  判定部
１０７、１０７Ｃ、２０７  コンテンツ決定部
２０８  履歴参照部
２１０ｂ  照明器具
２１１ａ  センサ
２１２ａ  送信部
２２０ｂ  家電機器
２２１ａ  スピーカ
２２２ａ  受信部
３１０ｂ  宅内エージェント
【図１】
0006490437.tif 000002
【図２】
0006490437.tif 000003
【図３Ａ】
0006490437.tif 000004
【図３Ｂ】
0006490437.tif 000005
【図４】
0006490437.tif 000006
【図５】
0006490437.tif 000007
【図６】
0006490437.tif 000008
【図７】
0006490437.tif 000009
【図８Ａ】
0006490437.tif 000010
【図８Ｂ】
0006490437.tif 000011
【図９】
0006490437.tif 000012
【図１０】
0006490437.tif 000013
【図１１】
0006490437.tif 000014
【図１２】
0006490437.tif 000015
【図１３】
0006490437.tif 000016
【図１４】
0006490437.tif 000017
【図１５】
0006490437.tif 000018
【図１６】
0006490437.tif 000019
【図１７】
0006490437.tif 000020
【図１８】
0006490437.tif 000021
【図１９】
0006490437.tif 000022
【図２０】
0006490437.tif 000023
【図２１】
0006490437.tif 000024
【図２２】
0006490437.tif 000025
【図２３】
0006490437.tif 000026